(57)【要約】【課題】フルカラー方式のＬＥＤユニットにおいて、高精細で高輝度の画像表示を実現する。【解決手段】ＲＧＢの各色のＬＥＤがそれぞれ独立したピクセルとなるように配列されてなるＬＥＤユニットをスタティック点灯して画面表示を行うにあたり、１フレームの間に４回の画面表示Ｄ１〜Ｄ４を実行し、その各画面表示ごとにＬＥＤ配列の１ドットを構成するＲＧＢの各ＬＥＤの表示データの組合せを選定して、表示の１ドットを構成するＬＥＤの組合せが各画面表示ごとに異なるようにすることで、表示のピッチをＬＥＤ配列の物理ドットピッチよりも小さくする。これによって高精細で高輝度の画像表示を実現する。【選択図】図１７
2007286412.tif 000002
【特許請求の範囲】
【請求項１】
ＲＧＢの各色のＬＥＤがそれぞれ独立したピクセルとなるように、かつ、各色のＬＥＤが正三角形状または二等辺三角形状の配置となるようにマトリクス状に配列されてなるＬＥＤユニットをスタティック点灯して画面表示を行うにあたり、１フレームの間に下記の画面表示Ｄ１、画面表示Ｄ２、画面表示Ｄ３、画面表示Ｄ４の４回の画面表示を実行し、その各画面表示ごとに、ＬＥＤ配列の１ドットを構成するＲＧＢの各ＬＥＤに表示するデータの組合せを選定して、当該４回の画面表示において、表示の１ドットを構成するＲＧＢの各ＬＥＤの組合せを各画面表示ごとに異ならせることを特徴とするＬＥＤユニットの点灯制御方法。
［画面表示Ｄ１］：基準となる画面表示
［画面表示Ｄ２］：基準となる画面表示Ｄ１から、表示の１ドットを構成するＲＧＢの３つのＬＥＤうち、１色のＬＥＤがＬＥＤ配列の行方向にずれるように、前記ＬＥＤ配列の１ドットを構成するＲＧＢの各ＬＥＤに表示するデータの組合せを選定した画面表示
［画面表示Ｄ３］：基準となる画面表示Ｄ１から、表示の１ドットを構成するＲＧＢの３つのＬＥＤうち、２色のＬＥＤがそれぞれＬＥＤ配列の行方向と列方向にずれるように、前記ＬＥＤ配列の１ドットを構成するＲＧＢの各ＬＥＤに表示するデータの組合せを選定した画面表示
［画面表示Ｄ４］：基準となる画面表示Ｄ１から、表示の１ドットを構成するＲＧＢの３つのＬＥＤうち、１色のＬＥＤがＬＥＤ配列の列方向にずれるように、前記ＬＥＤ配列の１ドットを構成するＲＧＢの各ＬＥＤに表示するデータの組合せを選定した画面表示
【発明の詳細な説明】
【技術分野】
【０００１】
本発明は、映像表示装置などに用いられるフルカラー方式のＬＥＤユニットの点灯制御方法に関する。
【背景技術】
【０００２】
フルカラー方式の映像表示装置としては、ＲＧＢの各色のＬＥＤランプをマトリクス状に配列してユニット化をはかり、更にそのＬＥＤユニットをマトリクス状に配列して大画面の表示部を構築し、その表示部に制御部から表示データを送出して、表示部の多数個のＬＥＤランプを点灯あるいは点滅することによって、各種の映像をカラー表示する構造のものがある。
【０００３】
この種の映像表示装置に使用されるＬＥＤユニットにおいて、ＬＥＤランプの配列は、従来、図１８に示すように、ＲＧＢの各色のＬＥＤランプ１０２Ｒ、１０２Ｇ、１０２（各色のピクセル）を１つの集合体として考え、それらの構成を１ドットとしているのが一般的である。
【０００４】
ところが、ＲＧＢの各ピクセルを１つの集合体とした場合、１ドットを構成するＲＧＢのランプが常に同じランプとなってしまうので、ＲＧＢの各ランプの集合体の配置ピッチ以上の解像度（分解能）を得ることはできない。
【０００５】
このような問題を解消する技術として、下記の特許文献１に記載の点灯制御方法が提案されている。この特許文献１に記載の点灯制御方法では、ＲＧＢの各色のＬＥＤランプがそれぞれ独立したピクセルとなるように配列されてなるＬＥＤユニットをダイナミック点灯するにあたり、１フレーム間に複数回の画面表示を行うとともに、１画面表示が終了するごとに、点灯制御ラインをランプ配列の行方向または列方向にずらして表示データを表示することで、表示画像の分解能を高めている。
【特許文献１】特開２００２−２３７００号公報
【発明の開示】
【発明が解決しようとする課題】
【０００６】
ところで、上記した特許文献１に記載の点灯制御方法では、ダイナミック点灯方式を採用しているので、高輝度の画像を表示するには、各ＬＥＤに供給する電流を高くして個々のＬＥＤの輝度をアップする必要がある。しかし、個々のＬＥＤへの供給電流を高くのには限度があって、より高輝度の画像表示を望むことは難しい。また、輝度アップするために各ＬＥＤを電流値の高い領域で駆動すると、電力の利用効率が悪くなることも懸念される。
【０００７】
本発明はそのような実情を考慮してなされたもので、フルカラー方式のＬＥＤユニットにおいて高精細で高輝度の画像表示を実現することが可能なＬＥＤユニットの点灯制御方法の提供を目的とする。
【課題を解決するための手段】
【０００８】
本発明の点灯制御方法は、ＲＧＢの各色のＬＥＤがそれぞれ独立したピクセルとなるように、かつ各色のＬＥＤが正三角形状または二等辺三角形状の配置となるようにマトリクス状に配列されてなるＬＥＤユニットをスタティック点灯して画面表示を行うにあたり、１フレームの間に下記の画面表示Ｄ１、画面表示Ｄ２、画面表示Ｄ３、画面表示Ｄ４の４回の画面表示を実行し、その各画面表示ごとにＬＥＤ配列の１ドットを構成するＲＧＢの各ＬＥＤに表示するデータの組合せを選定して、当該４回の画面表示において、表示の１ドットを構成するＲＧＢの各ＬＥＤの組合せを各画面表示ごとに異ならせることを特徴としている。
［画面表示Ｄ１］：基準となる画面表示
［画面表示Ｄ２］：基準となる画面表示Ｄ１から、表示の１ドットを構成するＲＧＢの３つのＬＥＤうち、１色のＬＥＤがＬＥＤ配列の行方向にずれるように、前記ＬＥＤ配列の１ドットを構成するＲＧＢの各ＬＥＤに表示するデータの組合せを選定した画面表示
［画面表示Ｄ３］：基準となる画面表示Ｄ１から、表示の１ドットを構成するＲＧＢの３つのＬＥＤうち、２色のＬＥＤがそれぞれＬＥＤ配列の行方向と列方向にずれるように、前記ＬＥＤ配列の１ドットを構成するＲＧＢの各ＬＥＤに表示するデータの組合せを選定した画面表示
［画面表示Ｄ４］：基準となる画面表示Ｄ１から、表示の１ドットを構成するＲＧＢの３つのＬＥＤうち、１色のＬＥＤがＬＥＤ配列の列方向にずれるように、前記ＬＥＤ配列の１ドットを構成するＲＧＢの各ＬＥＤに表示するデータの組合せを選定した画面表示
本発明の点灯制御方法によれば、ＬＥＤユニットをスタティック点灯して画面表示を行うにあたり、１フレームの間に４回の画面表示を実行し、その各画面表示ごとにＬＥＤ配列の１ドットを構成するＲＧＢの各ＬＥＤの表示データの組合せを変えることにより、表示の１ドットを構成するＬＥＤの組合せが各画面表示ごとに異なるようにしているので（例えば図１７（ａ）〜（ｄ）参照）、ＬＥＤ配列の物理ドットピッチよりも表示画像の分解能を高めることができ、高精細な画像表示が可能となる。しかも、スタティック点灯方式において、表示の１ドットを構成するＬＥＤの組み合わが画面表示ごとに異なるようにしているので、高精細で高輝度の画像表示を実現することができる。
【０００９】
ここで、本発明において、１フレームの間に４回の画面表示Ｄ１〜Ｄ４を実行する順序としては、［画面表示Ｄ１］→［画面表示Ｄ２］→［画面表示Ｄ３］→［画面表示Ｄ４］の順序のほか、［画面表示Ｄ１］→［画面表示Ｄ４］→［画面表示Ｄ３］→［画面表示Ｄ２］の順序、［画面表示Ｄ１］→［画面表示Ｄ３］→［画面表示Ｄ２］→［画面表示Ｄ４］の順序、または、［画面表示Ｄ１］→［画面表示Ｄ３］→［画面表示Ｄ４］→［画面表示Ｄ２］の順序を挙げることができる。
【００１０】
なお、本発明において、ＲＧＢの各色のＬＥＤがそれぞれ独立したピクセルとなるように、かつ、各色のＬＥＤが正三角形状または二等辺三角形状の配置となるようにマトリクス状に配列されてなるＬＥＤユニットをスタティック点灯して画面表示を行うにあたり、１フレームの間に４回の画面表示を実行し、その各画面表示ごとに、ＬＥＤ配列の１ドットを構成するＲＧＢの各ＬＥＤに表示するデータを下記のＤａ１，Ｄａ２，Ｄａ３，Ｄａ４の組合せで選定し、当該４回の画面表示において、表示の１ドットを構成するＲＧＢの各ＬＥＤの組合せを各画面表示ごとに異ならせるという方法を挙げることができる。
［Ｄａ１］：Ｒｅｄ（ｘ，ｙ）、Ｇｒｅｅｎ（ｘ，ｙ）、Ｂｌｕｅ（ｘ，ｙ）の各アドレスのデータ  ただし、ｘ＝ＬＥＤ配列の行方向のアドレス（基準値）、ｙ＝ＬＥＤ配列の列方向のアドレス（基準値）
［Ｄａ２］：Ｒｅｄ（ｘ−１，ｙ）、Ｇｒｅｅｎ（ｘ＋１，ｙ）、Ｂｌｕｅ（ｘ＋１，ｙ）の各アドレスのデータ
［Ｄａ３］：Ｒｅｄ（ｘ−１，ｙ＋１）、Ｇｒｅｅｎ（ｘ＋１，ｙ＋１）、Ｂｌｕｅ（ｘ＋１，ｙ−１）の各アドレスのデータ
［Ｄａ４］：Ｒｅｄ（ｘ，ｙ＋１）、Ｇｒｅｅｎ（ｘ，ｙ＋１）、Ｂｌｕｅ（ｘ＋１，ｙ−１）の各アドレスのデータ
この場合、データアドレス（データ並び）は、図８に示すように、Ｘ軸方向がＡＸ１，ＡＸ２，ＡＸ３、・・・ＡＸ１５，・・・，ＡＸｎの配列とし、Ｙ軸方向がＡＹ１，ＡＹ２，ＡＹ３、・・・ＡＹ１５，・・・，ＡＹｎの配列とする。
【発明の効果】
【００１１】
本発明によれば、ＬＥＤユニットをスタティック点灯して画面表示を行うにあたり、１フレームの間に４回の画面表示を実行し、その各画面表示ごとに、ＬＥＤ配列の１ドットを構成するＲＧＢの各ＬＥＤに表示するデータの組合せを選定し、当該４回の画面表示において、表示の１ドットを構成するＲＧＢの各ＬＥＤの組合せが各画面表示ごとに異なるようにしているので、ＬＥＤ配列の物理ドットピッチよりも表示画像の分解能を高めることができるとともに、高輝度の画像表示を実現することができる。
【発明を実施するための最良の形態】
【００１２】
以下、本発明の実施形態を図面に基づいて説明する。
【００１３】
本発明の実施形態を、以下、図面に基づいて説明する。
【００１４】
図１は本発明の点灯制御方法を適用するＬＥＤユニットの正面図である。
【００１５】
この例のＬＥＤユニット１は、ＲＧＢの各色のＬＥＤ２Ｒ・・２Ｒ，２Ｇ・・２Ｇ，２Ｂ・・２Ｂを基板２上に実装したドットマトリクス構造（８ドット×８ドット）となっている。各色のＬＥＤ２Ｒ，２Ｇ，２Ｂはそれぞれ独立したピクセルとなるように正三角形状の配置で配列されている。各色のＬＥＤ２Ｒ、２Ｇ、２Ｂの配列ピッチは、例えばＬＥＤ配列の行方向（Ｘ軸）が６ｍｍであり、ＬＥＤ配列の列方向（Ｙ軸）が約６ｍｍである。
【００１６】
ＬＥＤユニット１を構成する基板３の互いに対向する１組の端部３ａ，３ｂ（図１の上側の辺部と下側の辺部）は、それぞれ凹凸を繰り返す形状に加工されており、図２に示すように、複数のＬＥＤユニット１・・１をマトリクス状に配列して、大画面の表示部を構築する際に、互いに隣接するＬＥＤユニット１の各端部３ａ，３ｂ同士を相互に嵌め込むことができる。
【００１７】
この例に用いるＬＥＤ２Ｒ、２Ｇ、２Ｂは、図３（ａ）及び（ｂ）に示すように矩形状の薄型チップＬＥＤ（例えば１．６ｍｍ×０．８ｍｍ×０．４ｍｍ（高さ））であって、基板２２に形成された一対のパッド２３，２４とその各パッド２３，２４にそれぞれ導通する電極２５，２６及びＬＥＤチップ２１を備え、一方のパッド２３にＬＥＤチップ２１が、その下面の端子を当該パッド２３に接続した状態で実装されており、さらにＬＥＤチップ２１の上面の端子がワイヤー２７を介して他方のパッド２４に接続されている。これらＬＥＤチップ２１、パッド２３，２４及びワイヤー２７等は、透光性の樹脂（例えばエポキシ樹脂）２８にて保護されている。
【００１８】
以上の各ＬＥＤユニット１は点灯制御装置４によってスタティック点灯方式で点灯制御される。そして、この例では、ＬＥＤ配列が８ドット×８ドットのＬＥＤユニット１に対して１６ドット（ＬＥＤ配列の行方向（Ｘ軸））×８ドット（ＬＥＤ配列の列方向（Ｙ軸））の表示データを用いて点灯制御することにより、高精細な表示を実現している点に特徴がある。以下、点灯制御装置４の構成及び具体的な点灯制御について説明する。なお、以下の説明では、１つのＬＥＤユニット１の点灯制御について説明する。
【００１９】
−点灯制御装置−
点灯制御装置４は、図４に示すように、データ制御部４１、第１メモリ４２と第２メモリ４３、パラレルインシリアルアウト変換回路４４（以下、ＰＩＳＯ変換回路４４という）、及び、ＬＥＤドライバ（１６ビット）４５Ｒ，４５Ｇ，４５Ｂなどによって構成されている。
【００２０】
データ制御部４１は、入力されたＲＧＢデータ（映像表示信号）のアドレス変換、データ配列及び物理配列変換などのデータ配列変換処理を実行する。第１メモリ４２と第２メモリ４３は、データ制御部４１から出力されるＲＧＢデータ（パラレルデータ）を交互に１時記憶するためのメモリである。ＰＩＳＯ変換回路４４は、第１メモリ４２と第２メモリ４３に記憶されたＲＧＢデータ（パラレルデータ）を読み出してシリアルデータに変換して、各ＬＥＤドライバ４５Ｒ，４５Ｇ，４５Ｂに出力する。各ＬＥＤドライバ４５Ｒ，４５Ｇ，４５Ｂは、ＰＷＭ定電流ドライバ及び１６ビットの表示レジスタを備えている。
【００２１】
ＬＥＤドライバ４５Ｒ，４５Ｇ，４５Ｂは、図６（ａ）〜（ｄ）に示すｍ領域と図７（ａ）〜（ｄ）に示すｎ領域のそれぞれに対応して設けられており、図６に示すデータ送出・変換順序ブロックＢ１〜Ｂ４に対応するＲＧＢデータ（ｍ領域のデータ）が、例えば図４の左側に配置のＬＥＤドライバ４５Ｒ，４５Ｇ，４５Ｂに送出され、図７に示すデータ送出・変換順序ブロックＢ５〜Ｂ８に対応するＲＧＢデータ（ｎ領域のデータ）が、図４の右側に配置のＬＥＤドライバ４５Ｒ，４５Ｇ，４５Ｂに送出される。
【００２２】
なお、図４には、ＲＧＢの各色のＬＥＤドライバ４５Ｒ，４５Ｇ，４５Ｂをそれぞれ２組しか記載していないが、この例では、ＬＥＤ配列（物理ドット配列）が８ドット×８ドットのＬＥＤユニット１をスタティック方式で点灯制御するので、ＲＧＢの各色のＬＥＤドライバ４５Ｒ，４５Ｇ，４５Ｂはそれぞれ４個ずつ必要である。
【００２３】
−点灯制御−
まず、この例においては、図５に示すように、１フレーム（１／６０ｓ（約１６．７ｍｓ）の間に画面表示（Ｄ１〜Ｄ４）を４回実行し、その各画面表示Ｄ１，Ｄ２，Ｄ３，Ｄ４ごとに、図６と図７に示す形態でデータ送出・変換処理（ブロックＢ１〜Ｂ８）を実行する。
【００２４】
また、この例においては、データアドレス（データ並び）は、図８及び図９に示すように、ＬＥＤ配列の行方向（Ｘ軸）をＡＸ０〜ＡＸ１５の配列とし、ＬＥＤ配列の列方向（Ｙ軸）をＡＹ０〜ＡＹ１５の配列としており、上記した４回の画面表示Ｄ１〜Ｄ４のうち、１回目の画面表示Ｄ１の際には、図１０（ａ）に示すようにＸ軸及びＹ軸がともに偶数アドレスのデータを選択する。また、２回目の画面表示Ｄ２の際には、図１０（ｂ）に示すようにＸ軸が奇数アドレスでＹ軸が偶数アドレスのデータを選択する。さらに、３回目の画面表示Ｄ３の際には、図１１（ｃ）に示すようにＸ軸及びＹ軸がともに奇数アドレスのデータを採用し、４回目の画面表示Ｄ４の際には、図１１（ｄ）に示すようにＸ軸が偶数アドレスでＹ軸が奇数アドレスのデータを選択する。
【００２５】
なお、この例では、１フレーム（１／６０ｓ）で４回の画面表示を実行するので、１回目の画面表示Ｄ１の処理期間は０〜１／２４０ｓ、２回目の画面表示Ｄ２の処理期間は１／２４０〜２／２４０ｓ、３回目の画面表示Ｄ３の処理期間は２／２４０〜３／２４０ｓ、４回目の画面表示Ｄ４の処理期間は３／２４０〜４／２４０ｓとなる。
【００２６】
次に、画面表示Ｄ１〜Ｄ４で実行する共通の処理について説明する。
【００２７】
各画面表示Ｄ１〜Ｄ４において、点灯制御装置４にＲＧＢデータが図６と図７に示すブロックＢ１〜Ｂ８の順序で送出（入力）される。点灯制御装置４では、入力されたＲＧＢデータのデータ配列変換処理（詳細は後述）を行って第１メモリ４２または第２メモリ４３に順次送出する。
【００２８】
メモリ３，４へのデータ送出方法を具体的に説明すると、まず、図６（ａ）〜（ｄ）に示す１回目（ブロックＢ１）〜４回目（ブロックＢ４）のＲＧＢデータを第１メモリ４２に送出し、次いで図７（ａ）〜（ｄ）に示す５回目（ブロックＢ５）〜８回目（ブロックＢ８）のＲＧＢデータを第２メモリ４３に送出する。この第２メモリ４３へのデータ送出時に、第１メモリ４２に１時記憶したＲＧＢデータを各ＬＥＤドライバ４５Ｒ，４５Ｇ，４５Ｂに送出して、第１メモリ４２に次のＲＧＢデータの記憶が可能になるようにする。そして、このようにして、［ブロックＢ１〜Ｂ４のＲＧＢデータの第１メモリ４２への記憶］→［ブロックＢ５〜Ｂ８のＲＧＢデータの第２メモリ４３への記憶と同時に第１メモリ４２内のＲＧＢデータを各ＬＥＤドライバに送出］→［ブロックＢ１〜Ｂ４のＲＧＢデータの第１メモリ４２への記憶と同時に第２メモリ４３内のＲＧＢデータを各ＬＥＤドライバに送出］の処理を順次繰り返していく。
【００２９】
なお、この例ではスタティック点灯方式を採用しているので、各画面表示Ｄ１〜Ｄ４においてＲＧＢデータのデータ配列変換処理を実行するだけであり、ＬＥＤユニット１内の全てのＬＥＤ２Ｒ・・２Ｒ，２Ｇ・・２Ｇ，２Ｂ・・２Ｂは同時に点灯制御される。
【００３０】
−データ配列変換処理−
点灯制御装置４のデータ制御部４１で実行するデータ配列変換処理を各画面表示Ｄ１，Ｄ２，Ｄ３，Ｄ４ごとに説明する。
【００３１】
［画面表示Ｄ１］
画面表示Ｄ１は基準の画面表示であって、図９に示すデータ並びのうち、上記したように、Ｘ軸及びＹ軸がともに偶数のアドレスのデータを選択して、その各データをＬＥＤ配列の物理ドット位置（実ドット位置）に送出するデータとする。
【００３２】
その具体的な処理を１ドットについて説明すると、例えば図１２（ａ）に示すように、Ｒｅｄ（ＡＸ２，ＡＹ４）、Ｇｒｅｅｎ（ＡＸ２，ＡＹ４）、Ｂｌｕｅ（ＡＸ２，ＡＹ４）のアドレスのデータを選択し、図１３に示すように、その選択した各データを物理ドット位置Ｘ１，Ｙ２（太線枠で囲ったドット位置）に送出するデータとする。この場合、ＲＧＢの各色のデータのアドレスはそれぞれ「ｄ３４」であるので、その各色のデータｄ３４（赤）、データｄ３４（緑）及びデータｄ３４（青）が、画面表示Ｄ１において物理ドット位置Ｘ１，Ｙ２に送出するデータとなる。
【００３３】
ここで、画面表示Ｄ１における各色の基準アドレスを、一般式で表すと、Ｒｅｄ（ｘ，ｙ）、Ｇｒｅｅｎ（ｘ，ｙ）、Ｂｌｕｅ（ｘ，ｙ）となる。ただし、ｘ＝ＬＥＤ配列の行方向のアドレス（基準値）、ｙ＝ＬＥＤ配列の列方向のアドレス（基準値）である。
【００３４】
なお、画面表示Ｄ１において、他の物理ドット位置に送出するデータについても上記と同様な形態となる。例えば、物理ドット位置Ｘ２，Ｙ２に送出するデータは、データｄ３６（赤）、データｄ３６（緑）及びデータｄ３６（青）の組合せとなり、物理ドット位置Ｘ３，Ｙ２に送出するデータは、データｄ３８（赤）、データｄ３８（緑）及びデータｄ３８（青）の組合せとなる。また、物理ドット位置Ｘ１，Ｙ３に送出するデータは、データｄ５０（赤）、データｄ５０（緑）及びデータｄ５０（青）の組合せとなり、物理ドット位置Ｘ１，Ｙ４に送出するデータは、データｄ６６（赤）、データｄ６６（緑）及びデータｄ６６（青）の組合せとなる。
【００３５】
［画面表示Ｄ２］
画面表示Ｄ２では、図９に示すデータ並びのうち、Ｘ軸が奇数アドレスでＹ軸が偶数のアドレスのデータであって、基準とする画面表示Ｄ１からアドレスをシフトしたＲｅｄ（ｘ−１，ｙ）、Ｇｒｅｅｎ（ｘ＋１，ｙ）、Ｂｌｕｅ（ｘ＋１，ｙ）の各アドレスのデータを選択して、その各色のデータをＬＥＤ配列の物理ドット位置（実ドット位置）に送出するデータとする。
【００３６】
その具体的な処理を１ドットについて説明すると、例えば図１２（ｂ）に示すように、Ｒｅｄ（ＡＸ１，ＡＹ４）、Ｇｒｅｅｎ（ＡＸ３，ＡＹ４）、Ｂｌｕｅ（ＡＸ３，ＡＹ４）のアドレスのデータを選択し、図１４に示すように、その選択した各データを物理ドット位置Ｘ１，Ｙ２（太線枠で囲ったドット位置）に送出するデータとする。この場合、ＲＧＢの各色のデータのアドレスは、赤が「ｄ３３」、緑及び青がともに「ｄ３５」であって、それらデータｄ３３（赤）、データｄ３５（緑）及びデータｄ３５（青）が、画面表示Ｄ２において物理ドット位置Ｘ１，Ｙ２に送出するデータとなる。
【００３７】
なお、画面表示Ｄ２において、他の物理ドット位置に送出するデータについても上記と同様な形態となる。例えば、物理ドット位置Ｘ２，Ｙ２に送出するデータは、データｄ３５（赤）、データｄ３７（緑）及びデータｄ３７（青）の組合せとなり、物理ドット位置Ｘ３，Ｙ２に送出するデータは、データｄ３７（赤）、データｄ３９（緑）及びデータｄ３９（青）の組合せとなる。また、物理ドット位置Ｘ１，Ｙ３に送出するデータは、データｄ５１（赤）、データｄ４９（緑）及びデータｄ４９（青）の組合せとなり、物理ドット位置Ｘ１，Ｙ４に送出するデータは、データｄ６５（赤）、データｄ６７（緑）及びデータｄ６７（青）の組合せとなる。
【００３８】
［画面表示Ｄ３］
画面表示Ｄ３では、図９に示すデータ並びのうち、Ｘ軸及びＹ軸がともに奇数アドレスのデータであって、基準とする画面表示Ｄ１からアドレスをシフトしたＲｅｄ（ｘ−１，ｙ＋１）、Ｇｒｅｅｎ（ｘ＋１，ｙ＋１）、Ｂｌｕｅ（ｘ＋１，ｙ−１）の各アドレスのデータを選択して、その各データをＬＥＤ配列の物理ドット位置（実ドット位置）に対応させて送出する。
【００３９】
その具体的な処理を１ドットについて説明すると、例えば図１２（ｃ）に示すように、Ｒｅｄ（ＡＸ１，ＡＹ５）、Ｇｒｅｅｎ（ＡＸ３，ＡＹ５）、Ｂｌｕｅ（ＡＸ３，ＡＹ３）のアドレスのデータを選択し、図１５に示すように、その選択した各データを物理ドット位置Ｘ１，Ｙ２（太線枠で囲ったドット位置）に送出するデータとする。この場合、ＲＧＢの各色のデータのアドレスは、赤が「ｄ３３」、緑が「ｄ３５」、青が「ｄ１９」であって、それらデータｄ３３（赤）、データｄ３５（緑）及びデータｄ１９（青）が、画面表示Ｄ３において物理ドット位置Ｘ１，Ｙ２に送出するデータとなる。
【００４０】
なお、画面表示Ｄ３において、他の物理ドット位置に送出するデータについても上記と同様な形態となる。例えば、物理ドット位置Ｘ２，Ｙ２に送出するデータは、データｄ３５（赤）、データｄ３７（緑）及びデータｄ２１（青）の組合せとなり、物理ドット位置Ｘ３，Ｙ２に送出するデータは、データｄ３７（赤）、データｄ３９（緑）及びデータｄ２３（青）の組合せとなる。また、物理ドット位置Ｘ１，Ｙ３に送出するデータは、データｄ５１（赤）、データｄ４９（緑）及びデータｄ３３（青）の組合せとなり、物理ドット位置Ｘ１，Ｙ４に送出するデータは、データｄ６５（赤）、データｄ６７（緑）及びデータｄ５１（青）の組合せとなる。
【００４１】
［画面表示Ｄ４］
画面表示Ｄ４では、図９に示すデータ並びのうち、Ｘ軸が偶数アドレスでＹ軸が奇数アドレスのデータであって、基準とする画面表示Ｄ１からアドレスをシフトしたＲｅｄ（ｘ，ｙ＋１）、Ｇｒｅｅｎ（ｘ，ｙ＋１）、Ｂｌｕｅ（ｘ，ｙ−１）の各アドレスのデータを選択して、その各データをＬＥＤ配列の物理ドット位置（実ドット位置）に対応させて送出する。
【００４２】
その具体的な処理を１ドットについて説明すると、例えば図１２（ｄ）に示すように、Ｒｅｄ（ＡＸ２，ＡＹ５）、Ｇｒｅｅｎ（ＡＸ２，ＡＹ５）、Ｂｌｕｅ（ＡＸ２，ＡＹ３）のアドレスのデータを選択し、図１６に示すように、その選択した各データを物理ドット位置Ｘ１，Ｙ２（太線枠で囲ったドット位置）に送出するデータとする。この場合、ＲＧＢの各色のデータのアドレスは、赤及び緑がともに「ｄ３４」、青が「ｄ１８」であって、それらデータｄ３４（赤）、データｄ３４（緑）及びデータｄ１８（青）が、画面表示Ｄ４において物理ドット位置Ｘ１，Ｙ２に送出するデータとなる。
【００４３】
なお、画面表示Ｄ４において、他の物理ドット位置に送出するデータについても上記と同様な形態となる。例えば、物理ドット位置Ｘ２，Ｙ２に送出するデータは、データｄ３６（赤）、データｄ３６（緑）及びデータｄ２０（青）の組合せとなり、物理ドット位置Ｘ３，Ｙ２に送出するデータは、データｄ３８（赤）、データｄ３８（緑）及びデータｄ２２（青）の組合せとなる。また、物理ドット位置Ｘ１，Ｙ３に送出するデータは、データｄ５０（赤）、データｄ５０（緑）及びデータｄ３４（青）の組合せとなり、物理ドット位置Ｘ１，Ｙ４に送出するデータは、データｄ６６（赤）、データｄ６６（緑）及びデータｄ５０（青）の組合せとなる。
【００４４】
以上のように、各画面表示Ｄ１，Ｄ２，Ｄ３，Ｄ４ごとにデータ選択・物理配列変換を行うことにより、ＬＥＤ配列の物理ドットピッチよりも表示画像の分解能を高めることができ、高精細な画像表示が可能となる。この点について図１３〜図１６及び図１７を参照しながら説明する。
【００４５】
まず、図１３において太線で囲ったドット位置（物理ドット位置Ｘ１，Ｙ２）に着目すると、１回目の画面表示Ｄ１は基準画面表示であるので、物理ドット位置Ｘ１，Ｙ２のデータは全て同じアドレスのデータつまりデータｄ３４（赤）、データｄ３４（緑）、データｄ３４（青）によって構成される。従って、１回目の画面表示Ｄ１では、図１７（ａ）に示すように、表示の１ドットについても、データｄ３４（赤）、データｄ３４（緑）、データｄ３４（青）によって構成される。
【００４６】
これに対し、２回目の画面表示Ｄ２では、物理ドット位置Ｘ１，Ｙ２のデータは、図１４に示すように、データｄ３３（赤）、データｄ３５（緑）、データｄ３５（青）となるが、物理ドット位置Ｘ１，Ｙ２の隣（Ｘ軸方向）の物理ドット位置Ｘ２，Ｙ２の赤のＬＥＤ２Ｒのデータ（赤）が「ｄ３５」となるので、図１７（ｂ）に示すように、それらデータｄ３５（赤）、データｄ３５（緑）、データｄ３５（青）によって表示の１ドットが構成される。このように、２回目の画面表示Ｄ２では、１回目の画面表示Ｄ１（基準画面表示）から、表示の１ドットを構成するＲＧＢの３つのＬＥＤ２Ｒ，２Ｇ，２Ｇうち、１色のＬＥＤつまり赤のＬＥＤ２Ｒの組合せが異なるようになり、表示の１ドットが１回目の画面表示Ｄ１に対してＸ軸方向に１／２ドットだけずれた位置となる。
【００４７】
また、３回目の画面表示Ｄ３では、物理ドット位置Ｘ１，Ｙ２のデータは、図１５に示すように、データｄ３３（赤）、データｄ３５（緑）、データｄ１９（青）となるが、物理ドット位置Ｘ１，Ｙ２の隣（Ｘ軸方向）の物理ドット位置Ｘ２，Ｙ２の赤のＬＥＤ２Ｒのデータ（赤）が「ｄ３５」となり、さらに物理ドット位置Ｘ１，Ｙ２の斜め隣（Ｘ軸・Ｙ軸方向）の物理ドット位置Ｘ２，Ｙ３の青のＬＥＤ２Ｂのデータ（青）が「ｄ３５」となるので、図１７（ｃ）に示すように、それらデータｄ３５（赤）、データｄ３５（緑）、データｄ３５（青）によって表示の１ドットが構成される。このように、３回目の画面表示Ｄ３では、１回目の画面表示Ｄ１から、表示の１ドットを構成するＲＧＢの３つのＬＥＤ２Ｒ，２Ｇ，２Ｇうち、２色のＬＥＤつまり赤と青のＬＥＤ２Ｒ，２Ｂの組合せが異なるようになり、表示の１ドットが１回目の画面表示Ｄ１に対してＸ軸方向及びＹ軸方向にそれぞれ１／２ドットだけずれた位置となる。
【００４８】
さらに、４回目の画面表示Ｄ４では、物理ドット位置Ｘ１，Ｙ２のデータは、図１６に示すように、データｄ３４（赤）、データｄ３４（緑）、データｄ１８（青）となるが、物理ドット位置Ｘ１，Ｙ２の隣（Ｙ軸方向）の物理ドット位置Ｘ１，Ｙ３の青のＬＥＤ２Ｂのデータ（青）が「ｄ３４」となるので、図１７（ｄ）に示すように、それらデータｄ３４（赤）、データｄ３４（緑）、データｄ３４（青）によって表示の１ドットが構成される。このように、第４回目の画面表示Ｄ４では、１回目の画面表示Ｄ１から、表示の１ドットを構成するＲＧＢの３つのＬＥＤ２Ｒ，２Ｇ，２Ｇうち、１色のＬＥＤつまり青のＬＥＤ２Ｂの組合せが異なるようになり、表示の１ドットが１回目の画面表示Ｄ１に対してＹ軸方向に１／２ドットだけずれた位置となる。
【００４９】
以上のように、この例の点灯制御によれば、ＬＥＤユニット１をスタティック点灯して画面表示を行うにあたり、１フレームの間に４回の画面表示Ｄ１〜Ｄ４を実行し、その各画面表示Ｄ１〜Ｄ４ごとに、ＬＥＤ配列の１ドットを構成するＲＧＢの各ＬＥＤに表示するデータの組合せを選定し、当該４回の画面表示Ｄ１〜Ｄ４において、表示の１ドットを構成するＲＧＢのＬＥＤ２Ｒ，２Ｇ，２Ｂの組合せが各画面表示ごとに異なるようにしているので、表示の見かけピッチを、ＬＥＤ配列の物理ドットピッチに対し、行方向及び列方向のそれぞれについて１／２にすることができる。これによって表示画像の分解能を高める（ＬＥＤ配列の物理ドットピッチの４倍の分解能）ことができ、高精細で高輝度の画像表示が可能となる。
【００５０】
また、１画面表示が終了するごとに、表示の１ドットを構成するＲＧＢのＬＥＤ２Ｒ、２Ｇ、２Ｂの組合せが異なるようにしているので、上記したような高精細表示が必要でない場合、つまり画像分解能が通常表示と同程度で良い場合には、ユニットに配列するＬＥＤの個数を減らすことができる。
【００５１】
なお、この例では、図１７（ａ）〜（ｄ）の各画面表示Ｄ１〜Ｄ４の比較から判るように、１回目の画面表示Ｄ１（基準画面表示）における表示の１ドットを構成する緑のＬＥＤ２Ｇ（１色のＬＥＤ）を固定した状態で、その緑のＬＥＤ２Ｇ（特定色のＬＥＤ）を中心として、赤のＬＥＤ２Ｒと青のＬＥＤ２Ｂ（他の２色のＬＥＤ）がＬＥＤ配列の行・列方向にずれるように、各画面表示Ｄ１〜Ｄ４ごとに、ＬＥＤ配列の１ドット（物理ドット位置）のＲＧＢの各色のＬＥＤ２Ｒ，２Ｇ，２Ｂに表示するデータを選定（データの並び替え）する点に特徴があるとも言える。
【００５２】
−他の実施形態−
以上の例では、１回目の画面表示Ｄ１を基準として、画面表示Ｄ２を２回目、画面表示表示Ｄ３を３回目、画面表示Ｄ４を４回目としているが、本発明はこれに限られることなく、画面表示の順序は、［画面表示Ｄ１］→［画面表示Ｄ４］→［画面表示Ｄ３］→［画面表示Ｄ２］の順序、［画面表示Ｄ１］→［画面表示Ｄ３］→［画面表示Ｄ２］→［画面表示Ｄ４］の順序、または、［画面表示Ｄ１］→［画面表示Ｄ３］→［画面表示Ｄ４］→［画面表示Ｄ２］の順序であってもよい。
【００５３】
以上の例では、説明の簡略化のために、ＲＧＢの各色のＬＥＤ２Ｒ，２Ｇ，２Ｂを８ドット×８ドット（物理ドット）で配列した例を示しているが、これに限られることなく、ＬＥＤ配列のドット数は任意である。具体的には、例えば図３に示すような矩形薄型チップＬＥＤ（１．６ｍｍ×０．８ｍｍ×０．４ｍｍ（高さ））を用いた場合、３２ドット×４８ドットのＬＥＤユニットを構築することが可能である。
【００５４】
また、本発明は、ＲＧＢの各色のＬＥＤ２Ｒ，２Ｇ，２Ｂを１６ドット×１６ドットで配列したＬＥＤユニットにも適用できる。
【００５５】
以上の例では、ＲＧＢの各色のＬＥＤ２Ｒ、２Ｇ，２Ｂを正三角形状に配置しているが、その配置は二等辺三角形状であってもよい。
【００５６】
以上の例では、薄型チップＬＥＤを用いたＬＥＤユニットに本発明を適用した例を示したが、これに限られることなく、本発明は、図１８に示すようなＬＥＤランプ１０２Ｒ，１０２Ｇ，１０２Ｂを図１に示すような配列で配置したＬＥＤユニットにも適用できる。
【図面の簡単な説明】
【００５７】
【図１】本発明の点灯制御方法を適用するＬＥＤユニットの正面図である。
【図２】図１のＬＥＤユニットを使用状態で示す正面図である。
【図３】図１のＬＥＤユニットに用いるＬＥＤの正面図（ａ）及び縦断面図（ｂ）を併記して示す図である。
【図４】図１のＬＥＤユニットを点灯制御する点灯制御装置の構成を示すブロック図である。
【図５】本発明の実施形態において実施する画面表示順序の説明図である。
【図６】各画面表示において実行するデータ送出・変換処理のタイミングを示す図である。
【図７】各画面表示において実行するデータ送出・変換処理のタイミングを示す図である。
【図８】ＲＧＢデータのデータアドレス（データ並び）を示す図である。
【図９】ＲＧＢデータのデータアドレス（データ並び）を示す図である。
【図１０】１回目の画面表示Ｄ１で選択するデータ（ａ）及び第２回目の画面表示Ｄ２で選択するデータ（ｂ）を示す図である。
【図１１】３回目の画面表示Ｄ３で選択するデータ（ｃ）及び第４回目の画面表示Ｄ４で選択するデータ（ｄ）を示す図である。
【図１２】データ選択処理の説明図である。
【図１３】１回目の画面表示Ｄ１の物理ドット位置とデータ位置とを示す図である。
【図１４】２回目の画面表示Ｄ２の物理ドット位置とデータ位置とを示す図である。
【図１５】３回目の画面表示Ｄ３の物理ドット位置とデータ位置とを示す図である。
【図１６】４回目の画面表示Ｄ４の物理ドット位置とデータ位置とを示す図である。
【図１７】１回目の画面表示Ｄ１から４回目の画面表示Ｄ４の各表示の表示の１ドットを構成するＬＥＤの組合せを示す図である。
【図１８】従来のＬＥＤユニットの正面図である。
【符号の説明】
【００５８】
１  ＬＥＤユニット
２Ｒ  ＬＥＤ（赤）
２Ｇ  ＬＥＤ（緑）
２Ｂ  ＬＥＤ（青）
３  基板
４  点灯制御装置
４１  データ制御部
４２  第１メモリ
４３  第２メモリ
４４  パラレルインシリアルアウト変換回路（ＰＩＳＯ変換回路）
４５Ｒ  ＬＥＤドライバ（赤）
４５Ｇ  ＬＥＤドライバ（緑）
４５Ｂ  ＬＥＤドライバ（青）
【図１】
2007286412.tif 000003
【図２】
2007286412.tif 000004
【図３】
2007286412.tif 000005
【図４】
2007286412.tif 000006
【図５】
2007286412.tif 000007
【図６】
2007286412.tif 000008
【図７】
2007286412.tif 000009
【図８】
2007286412.tif 000010
【図９】
2007286412.tif 000011
【図１０】
2007286412.tif 000012
【図１１】
2007286412.tif 000013
【図１２】
2007286412.tif 000014
【図１８】
2007286412.tif 000015
【図１３】
2007286412.tif 000016
【図１４】
2007286412.tif 000017
【図１５】
2007286412.tif 000018
【図１６】
2007286412.tif 000019
【図１７】
2007286412.tif 000020